(57)【特許請求の範囲】
【請求項１】
内溶液が収容されるとともに上方に向けて開口した開口部がシール部材によって封止されたカップ本体と、該カップ本体の上端部に被着された蓋体と、を備える蓋付カップ容器において、
前記蓋体には、
前記シール部材の上方に間隔をあけて配設された押下部を有し、上方に膨出した形状から下方に膨出した形状に反転変形可能な反転部と、
前記シール部材の上方に配設されるとともに前記反転部に連結され、前記シール部材を破断して前記カップ本体を開封させる切刃部と、
が備えられており、
該切刃部は、前記シール部材の上方であって前記カップ本体の中心軸線に垂直な平面視において前記押下部からずれた位置に配設され、
前記平面視において、前記切刃部が前記蓋体の外縁側に寄せて配設されており、前記押下部が前記中心軸線から前記切刃部側に偏心した位置に配設され、
前記反転部は、前記押下部に連設されるとともに、前記平面視において前記押下部を基準として前記切刃部側とは反対側に向かうに従い、下方に向けて傾斜する傾斜壁部を備え、
前記傾斜壁部のうち、前記平面視において前記押下部を基準として前記切刃部側とは反対側の端部が、前記蓋体における前記中心軸線を間に挟んで前記押下部側と反対側に配設されていることを特徴とする蓋付カップ容器。
【発明の詳細な説明】
【技術分野】
【０００１】
本発明は、例えば飲料等が収容される蓋付カップ容器に関する。
【背景技術】
【０００２】
この種の蓋付カップ容器として、従来、例えば下記特許文献１に示されているように、上方に向けて開口した開口部がフィルム状の蓋体（以下、シール部材と記す。）によって封止されたカップ型容器（以下、カップ本体と記す。）と、カップ本体の上端部に被着され、シール部材を破断して開封する切刃部材（以下、切刃部と記す。）を有する開封部材（以下、蓋体と記す。）と、を備える構成が知られている。詳しく説明すると、切刃部は、蓋体の天板部に形成された注出用開口内に配設されており、シール部材の上方に配置されている。また、切刃部は、薄肉状のヒンジを介して天板部に連結されており、ヒンジを回転軸にして回転可能になっている。このような構成からなる蓋付カップ容器では、切刃部の上面に形成された押圧面（以下、押下部と記す。）を指等で押し下げることで、切刃部が下方に向けて回転してシール部材を破断し、カップ本体が開封される。そして、蓋付カップ容器を傾けることにより、カップ本体内の内溶液がシール部材の破断部分から蓋体内に流出し、蓋体の注出用開口から注出される。
【特許文献１】特開２００５−２２７５７号公報
【発明の開示】
【発明が解決しようとする課題】
【０００３】
しかしながら、上記した従来の蓋付カップ容器では、シール部材の破断時に飛散する内容液が指等に付着し易いという問題が存在する。すなわち、切刃部でシール部材を破断したときにシール部材の破断箇所から内溶液が飛び出す場合があるが、上記した従来の蓋付カップ容器では、切刃部の上面に押下部が形成されており、シール部材の破断箇所の直上位置に指等が配置されるため、シール部材の破断箇所から飛び出した内溶液が指等に付着し易い。
【０００４】
本発明は、上記した従来の問題が考慮されたものであり、シール部材の破断時に内溶液が飛散した場合に、その飛散した内溶液が指等に付着しにくい蓋付カップ容器を提供することを目的としている。
【課題を解決するための手段】
【０００５】
本発明に係る蓋付カップ容器は、内溶液が収容されるとともに上方に向けて開口した開口部がシール部材によって封止されたカップ本体と、該カップ本体の上端部に被着された蓋体と、を備える蓋付カップ容器において、前記蓋体には、前記シール部材の上方に間隔をあけて配設された押下部を有し、上方に膨出した形状から下方に膨出した形状に反転変形可能な反転部と、該反転部に連結され、前記シール部材を破断して前記カップ本体を開封させる切刃部と、が備えられており、該切刃部は、前記シール部材の上方であって前記カップ本体の中心軸線に垂直な平面視において前記押下部からずれた位置に配設され、前記平面視において、前記切刃部が前記蓋体の外縁側に寄せて配設されており、前記押下部が前記中心軸線から前記切刃部側に偏心した位置に配設され、前記反転部は、前記押下部に連設されるとともに、前記平面視において前記押下部を基準として前記切刃部側とは反対側に向かうに従い、下方に向けて傾斜する傾斜壁部を備え、前記傾斜壁部のうち、前記平面視において前記押下部を基準として前記切刃部側とは反対側の端部が、前記蓋体における前記中心軸線を間に挟んで前記押下部側と反対側に配設されていることを特徴としている。
【０００６】
このような特徴により、指等で押下部を押し下げることにより、反転部が上方に膨出した形状から下方に膨出した形状に反転する。これにより、反転部に連結された切刃部は反転部の下方への反転動作に伴い下方（シール部材側）へ移動し、この切刃部によってシール部材が破断される。このとき、切刃部が平面視において押下部からずれた位置に配設されているので、押下部を押し下げる指等はシール部材の破断箇所から離れた位置に配置される。
【０００８】
また、押下部と切刃部との離間距離が短くなり、押下部を押し下げて切刃部を下方に移動させる際に、押下部を押し下げる力が切刃部に伝達され易くなる。
【発明の効果】
【０００９】
本発明に係る蓋付カップ容器によれば、押下部を押し下げる指等がシール部材の破断箇所から離れた位置に配置されるので、シール部材の破断時に内溶液が飛散した場合に、その飛散した内溶液が指等に付着しにくくなる。これにより、蓋付カップ容器の開封時に指等が汚れることを防止することができる。
【発明を実施するための最良の形態】
【００１０】
以下、本発明に係る蓋付カップ容器の実施の形態について、図面に基いて説明する。
【００１１】
［第一の実施の形態］
まず、第一の実施の形態について、図１から図３に基いて説明する。
図１は本実施の形態における蓋付カップ容器１の分解斜視図であり、図２は蓋付カップ容器１の縦断面図であって後述する図３に示すＡ−Ａ間の断面図であり、図３は蓋付カップ容器１の蓋体３の平面図である。
なお、下記の実施の形態では、蓋付カップ容器１のカップ本体２の開口側（図２における上側）を上方とし、その反対側（図２における下側）を下方とする。また、蓋付カップ容器１の飲み口側（図３における左側）を前方とし、その反対側（図３における右側）を後方とし、平面視において前後方向に直交する方向（図３における縦方向）を左右方向とする。また、図２に示す鎖線Ｌはカップ本体２の中心軸線であり、以下、単に中心軸線Ｌと記す。
【００１２】
図１、図２に示すように、蓋付カップ容器１は、内溶液を収容したカップ本体２と、カップ本体２の上端部に被着された蓋体３と、蓋体３の上に被着されるオーバーキャップ４と、を備えている。
【００１３】
カップ本体２は、下方に向かうに従い漸次縮径された略円筒形状の胴部２０と、胴部２０の下端を閉塞する底部２１と、を備えた構成からなり、カップ本体２の上端部は、上方に向けて開口した開口部２２となっている。胴部２０の上端には、カップ本体２の径方向の外側へ突出したフランジ部２３がカップ本体２の全周に亘って形成されている。また、カップ本体２の開口部２２は、カップ本体２内の内溶液が漏出しないようにフィルム状のシール部材２４によって封止されている。詳しく説明すると、シール部材２４は、例えばアルミ蒸着シート等のバリア性シート材からなり、カップ本体２の開口部２２を閉塞するように張設されている。シール部材２４の下面には熱溶着層が形成されており、シール部材２４の外縁部は熱溶着によりフランジ部２３の上面に全周に亘って貼着されている。このシール部材２４によって空気等がカップ本体２内へと浸入することが防止される。
【００１４】
蓋体３は、図１から図３に示すように、カップ本体２のフランジ部２３の上方に配設されて中心軸線Ｌ方向に延設された二重筒構造の周壁部３０と、周壁部３０の内側を閉塞するように周壁部３０の内側に配設された天壁部３１と、周壁部３０の下端に設けられてカップ本体２のフランジ部２３に装着される環状の装着部３２と、を備えている。
【００１５】
周壁部３０は、円筒形状の外筒部３３と、外筒部３３の内側に配設された円筒形状の内筒部３４と、から構成されている。外筒部３３と内筒部３４とは、中心軸線Ｌを共通軸として同軸上に配設されており、双方の上端部同士が連結されている。また、周壁部３０の上端は段状に形成されており、周壁部３０の前方側の部分の高さ（中心軸線Ｌ方向の長さ）が後方側よりも高くなっている。
【００１６】
天壁部３１は、周壁部３０の高さ方向（中心軸線Ｌ方向）の中間部分に配設された反転部３５と、シール部材２４の上方に配設されているとともに反転部３５に連結された切刃部５０と、を備えている。
【００１７】
反転部３５は、上方に膨出した形状から下方に膨出した形状に反転変形可能な部材であり、シール部材２４の上方に間隔をあけて配設された押下部３６を有している。具体的に説明すると、反転部３５は、上方に向かって窄まった寄棟屋根状の部材であり、反転部３５の頂点部分に配設された押下部３６に傾斜壁部３７が連設された構成からなる。
【００１８】
押下部３６は、左右方向に長い平面視長円形の板部であり、図３に示すように、中心軸線Ｌに垂直な平面視（以下、単に平面視と記す。）において、中心軸線Ｌから切刃部５０側に偏心した位置に配設されている。具体的に説明すると、押下部３６は、平面視において、中心（中心軸線Ｌ）よりも前方側寄りの位置に配設されており、切刃部５０と中心軸線Ｌとの間に配設されている。
【００１９】
傾斜壁部３７は、押下部３６の周囲に配設された板部であり、押下部３６から外側に向かって下向きに傾斜されている。具体的に説明すると、傾斜壁部３７は、略扇形状の板部であり、平面視において、押下部３６の四方に配設されている。
【００２０】
傾斜壁部３７の上端部と押下部３６の外縁部、及び、傾斜壁部３７の下端部と周壁部３０（内筒部３４）の内周面、及び、隣り合う傾斜壁部３７の上端から下端にかけて延在する側端部同士は、それぞれ折り曲げ容易な薄肉状の折れ線部３７ａを介して連結されている。すなわち、折れ線部３７ａは、押下部３６の外周に沿って長円形状に形成されているとともに周壁部３０の内周に沿って円形状に形成されており、さらに、上記長円形状の折れ線部３７ａから上記円形状の折れ線部３７ａにかけて直線状の４本の折れ線部３７ａが略放射状に形成されている。この折れ線部３７ａが屈曲変形することにより、傾斜壁部３７と押下部３６、傾斜壁部３７と周壁部３０、及び、隣り合う傾斜壁部３７同士がそれぞれ相対的に折り曲げられて反転部３５が反転される。なお、上記直線状の折れ線部３７ａの本数は複数本であれば適宜変更可能である。さらに、少なくとも上記長円形状の折れ線部３７ａと上記円形状の折れ線部３７ａがあれば反転部３５は反転可能であり、上記直線状の折れ線部３７ａを省略することも可能である。
また、押下部３６の前方に配設された傾斜壁部３７Ａには、円形の注出口３７ｂが形成されている。
【００２１】
切刃部５０は、シール部材２４を破断してカップ本体２を開封させるためのものであり、前方側の傾斜壁部３７Ａの下面からシール部材２４側に向けて垂設されている。詳しく説明すると、切刃部５０は、注出口３７ｂの外周に沿って周設された側面視略三角形状の円筒部材である。切刃部５０の下端は、傾斜壁部３７Ａの下面に対して傾斜されており、切刃部５０の傾斜壁部３７Ａの下面から切刃部５０の下端までの長さが後方側から前方側に向かうに従い漸次短くなっている。切刃部５０の後方側の下端には鋭利な爪部５１が垂設されている。切刃部５０の内側には、十字状に配設された隔壁板５２が設けられており、注出口３７ｂは隔壁板５２によって４つの扇状の孔３７ｃに区画されている。また、切刃部５０は、平面視において押下部３６からずれた位置に配設されている。具体的に説明すると、切刃部５０は、押下部３６の前方側に配設されており、蓋体３の外縁側（周壁部３０の内周面側）に寄せて周壁部３０の内側のうちの前方部分に配設されている。
【００２２】
装着部３２は、外筒部３３の下端から外筒部３３の径方向の外側に突出しているとともに外筒部３３の全周に亘って形成されたフランジ部３８と、フランジ部３８の外縁部から垂下された垂筒部３９と、を備えている。装着部３２のフランジ部３８は、カップ本体２のフランジ部２３の上方に対向配置されており、その下面には、全周に亘って形成されたリング状の凸部３８ａが突設されている。凸部３８ａの下端（先端）は、シール部材２４が貼着されたカップ本体２のフランジ部２３に液密に圧接されており、これにより、カップ本体２のフランジ部２３と装着部３２のフランジ部３８との間がシーリングされている。垂筒部３９の下端部の内周面には、垂筒部３９の径方向の内側に突出した係止部３９ａが全周に亘って形成されており、この係止部３９ａがカップ本体２のフランジ部２３の外縁部に係止されることによって垂筒部３９がフランジ部２３にアンダーカット嵌合されている。
【００２３】
オーバーキャップ４は、図１、図２に示すように、中心軸線Ｌに対して垂直に配設された平面視円形の天壁部４０と、天板部４０の外縁部から垂下された円筒状の周壁部４１と、周壁部４１の下端に設けられて蓋体３の装着部３２の外側に嵌め込まれる環状の装着部４２と、を備えている。この装着部４２の下部には、径方向内側に膨出した縦断面視円弧状の係止部４２ａが全周に亘って形成されており、この係止部４２ａが蓋体３の装着部３２の下端部に係止されることによってオーバーキャップ４の装着部４２が蓋体３の装着部３２にアンダーカット嵌合されている。
【００２４】
次に、上記した構成からなる蓋付カップ容器１の作用について説明する。
【００２５】
まず、オーバーキャップ４を蓋体３から取り外す。具体的に説明すると、オーバーキャップ４の装着部４２の下部を径方向外側に押し広げ、オーバーキャップ４の装着部４２の係止部４２ａを蓋体３の装着部３２から外し、オーバーキャップ４を蓋体３から分離させる。
【００２６】
次に、指等で押下部３６を押し下げ、反転部３５を下方へ反転させる。詳しく説明すると、押下部３６を下方に向けて押圧することにより、各折れ線部３７ａが折れ曲がって各傾斜壁部３７がそれぞれ反転され、反転部３５は上方に向かって窄まった寄棟屋根形状から下方に向かって窄まった器形状に変形する。
【００２７】
上記した反転部３５の下方への反転動作に伴い、反転部３５に連結された切刃部５０が下方（シール部材２４側）へ移動する。これにより、切刃部５０の爪部５１によってシール部材２４が押し切られて破断されるとともに、そのシール部材２４の破断箇所が下方へめくられてカップ本体２が開封される。
【００２８】
このとき、切刃部５０が平面視において押下部３６からずれた位置に配設されているので、押下部３６を押し下げる指等はシール部材２４の破断箇所から離れた位置に配置される。また、押下部３６が平面視において中心軸線Ｌから切刃部５０側に偏心した位置に配設されており、押下部３６と切刃部５０との離間距離が短くなっているので、押下部３６を押し下げて切刃部５０を下方に移動させる際に、押下部３６を押し下げる力が切刃部５０に伝達され易くなる。
【００２９】
上記した構成からなる蓋付カップ容器１によれば、押下部３６を押し下げる指等がシール部材２４の破断箇所から離れた位置に配置されるので、シール部材２４の破断時に内溶液が飛散した場合に、その飛散した内溶液が指等に付着しにくい。これにより、蓋付カップ容器１の開封時に指等が汚れることを防止することができる。
【００３０】
また、押下部３６が平面視において中心軸線Ｌから切刃部５０側に偏心した位置に配設されており、押下部３６を押し下げて切刃部５０を下方に移動させる際に、押下部３６を押し下げる力が切刃部５０に伝達され易くなっているので、切刃部５０によってシール部材２４が簡単に破断され、カップ本体２を容易に開封することができる。
【００３１】
［第二の実施の形態］
まず、第二の実施の形態について、図４から図６に基いて説明する。
図４は蓋付カップ容器１を縦断面図であって後述する図６に示すＢ−Ｂ間の断面図であり、図５は蓋付カップ容器１を縦断面図であって後述する図６に示すＣ−Ｃ間の断面図であり、図６は蓋付カップ容器１の蓋体１０３の平面図である。
なお、上記した第一の実施の形態と同様の構成については、同一の符号を付して説明を省略する。
【００３２】
図４から図６に示すように、蓋体１０３は、カップ本体２のフランジ部２３の上方に配設されて中心軸線Ｌ方向に延設された円筒状の周壁部１３０と、周壁部１３０の内側を閉塞するように周壁部１３０の内側に配設された天壁部１３１と、周壁部１３０の下端に設けられてカップ本体２のフランジ部２３に装着される環状の装着部３２と、を備えている。
【００３３】
天壁部１３１は、上側に膨出した湾曲板部１３４と、湾曲板部１３４の左右方向の中央部分に配設された反転部１３５と、反転部１３５に連結された切刃部１５０と、を備えている。
【００３４】
湾曲板部１３４は、中心軸線Ｌに対して略垂直に配設されており、その左右方向の中央部分には、前後方向に延在する開口１３４ａが形成されている。この開口１３４ａの前方部分は、前方に向かうに従い縮幅された平面視略台形状に形成されており、蓋付カップ容器１を傾けてカップ本体２内の内溶液を注出させる際の注出口１３４ｂとなっている。この注出口１３４ｂは、湾曲板部１３４の前端部分に配設されている。一方、開口１３４ａの後方部分は、後方に向かうに従い縮幅された平面視略台形状に形成されており、湾曲板部１３４の前後方向の中央部分に配設されている。
【００３５】
反転部１３５は、複数の傾斜壁部１３７が山型に連設され、中央の傾斜壁部１３７Ａの上端部に押下部１３６が形成された構成からなる。詳しく説明すると、反転部１３５は、湾曲板部１３４の開口１３４ａの後方部分に配設されており、開口１３４ａの後端部から上方に向けて傾斜した傾斜壁部１３７Ａと、その傾斜壁部１３７Ａの両側にそれぞれ配設されて開口１３４ａの後方部分の側端から上方に向けて傾斜した傾斜壁部１３７Ｂ，１３７Ｃと、から構成されている。中央の傾斜壁部１３７Ａの下端と開口１３４ａの後端、中央の傾斜壁部１３７Ａの側端と両側の傾斜壁部１３７Ｂ，１３７Ｃの上端、及び、両側の傾斜壁部１３７Ｂ，１３７Ｃの下端と開口１３４ａの後方部分の側端とは、薄肉状の折れ線部１３７ａを介して連結されている。
【００３６】
切刃部１５０は、中央の傾斜壁部１３７Ａの上端に連結された板部であり、中央の傾斜壁部１３７Ａの上端から前方に向けて延設され、先端に下方に向けて垂下された爪部１５１が形成されている。切刃部１５０の下面には、切刃部１５０に対して垂直に配置されたリブ１５２が設けられている。また、切刃部１５０は、湾曲板部１３４の開口１３４ａの前方部分（注出口１３４ｂ）の上方に配設されており、シール部材２４の上方に配設されている。
【００３７】
次に、上記した蓋体１０３を有する蓋付カップ容器１の作用について説明する。
【００３８】
オーバーキャップ４を蓋体３から取り外した後、指等で押下部１３６を押し下げ、反転部１３５を下方へ反転させる。詳しく説明すると、押下部１３６を下方に向けて押圧することにより、各折れ線部１３７ａが折れ曲がって各傾斜壁部１３７がそれぞれ反転され、反転部１３５は、湾曲板部１３４よりも上方に突出した山型形状から湾曲板部１３４よりも下方に突出した谷型に変形する。
【００３９】
上記した反転部１３５の下方への反転動作に伴い、中央の傾斜壁部１３７Ａの上端部に連結された切刃部１５０が下方へ移動し、切刃部１５０の爪部１５１によってシール部材２４が押し切られて破断されるとともに、そのシール部材２４の破断箇所が下方へめくられてカップ本体２が開封される。
【００４０】
上記した構成からなる蓋付カップ容器１によれば、平面視において切刃部１５０の後方に押下部１３６が配設されており、押下部１３６を押し下げる指等がシール部材２４の破断箇所から離れた位置に配置されるので、シール部材２４の破断時に内溶液が飛散した場合に、その飛散した内溶液が指等に付着しにくい。
【００４１】
また、押下部１３６は、中央の傾斜壁部１３７Ａの上端部に形成され、平面視において中心軸線Ｌから切刃部１５０側に偏心した位置に配設されており、押下部１３６を押し下げる力が切刃部１５０に伝達され易くなっているので、切刃部１５０によってシール部材２４が簡単に破断され、カップ本体２を容易に開封することができる。
【００４２】
以上、本発明に係る蓋付カップ容器の実施の形態について説明したが、本発明は上記した実施の形態に限定されるものではなく、その趣旨を逸脱しない範囲で適宜変更可能である。
例えば、上記した実施の形態では、押下部３６，１３６が中心軸線Ｌから切刃部５０，１５０側に偏心した位置に配設されているが、本発明は、押下部３６，１３６を中心軸線Ｌの位置に配設させることも可能であり、或いは、押下部３６，１３６を中心軸線Ｌから切刃部５０，１５０と反対側に偏心した位置に配設させることも可能である。
【００４３】
また、上記した実施の形態では、切刃部５０，１５０の後方側に押下部３６，１３６が隣接されているが、本発明は、切刃部と押下部とが離間されていてもよく、或いは、切刃部の側方（左右）に押下部が配設されていてもよい。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明の第一の実施の形態を説明するための蓋付カップ容器の分解斜視図である。
【図２】本発明の第一の実施の形態を説明するための蓋付カップ容器の縦断面図である。
【図３】本発明の第一の実施の形態を説明するための蓋体の平面図である。
【図４】本発明の第二の実施の形態を説明するための蓋付カップ容器の縦断面図である。
【図５】本発明の第二の実施の形態を説明するための蓋付カップ容器の縦断面図である。
【図６】本発明の第二の実施の形態を説明するための蓋体の平面図である。
【符号の説明】
【００４６】
１  蓋付カップ容器
２  カップ本体
３、１０３  蓋体
２２  開口部
２４  シール部材
３５、１３５  反転部
３６、１３６  押下部
５０、１５０  切刃部
Ｌ  中心軸線
【図１】
0005118957.tif 000002
【図２】
0005118957.tif 000003
【図３】
0005118957.tif 000004
【図４】
0005118957.tif 000005
【図５】
0005118957.tif 000006
【図６】
0005118957.tif 000007